(57)【要約】【課題】遊技機の前面枠が不正開放されて不正改造されるのを確実に防止することが可能な遊技機不正開放防止装置を低コストに提供する。【解決手段】台枠に対して前面枠が開閉可能に取り付けられた遊技機において、前面枠に先端部が取付固定された索条４４と、台枠に取付固定された固定手段とを備える。固定手段は、ケース４０、ケース４０、同期用ピン４１、索条ロック用板４２ａ，４２ｂ、索条４４、プランジャー連結ピン４５、圧縮弦巻バネ４６、係止突起４７ａ，４７ｂを有する。プランジャー３５のプランジャーシャフト３６を伸張させ、索条ロック用板４２ａ，４２ｂにより索条４４を挟持して固定すると、台枠１に対して前面枠２が開放不能になる。【選択図】  図２
2014039651.tif 000002
【特許請求の範囲】
【請求項１】
台枠に対して前面枠が開閉可能に取り付けられた遊技機において、
前記前面枠に先端部が取付固定された索条と、
前記台枠に取付固定された固定手段とを備え、
前記固定手段により前記索条を挟持して固定すると、前記台枠に対して前記前面枠を開放不能にする、遊技機不正開放防止装置。
【請求項２】
前記固定手段は、
前記索条を挟持して固定する索条ロック用板と、
前記索条ロック用板を駆動するプランジャーとを備える、請求項１に記載の遊技機不正開放防止装置。
【請求項３】
前記索条ロック用板は、対向配置された第１板および第２板と、第１板と第２板を連結する同期用ピンとを備え、
前記プランジャーが前記第２板を直接駆動して回動させると、前記同期用ピンにより前記第２板の回動に同期して前記第１板が回動し、前記第１板と前記第２板との間で前記索条が挟持固定される、請求項２に記載の遊技機不正開放防止装置。
【請求項４】
前記索条が常に弛まないように付勢する弛み防止手段を備えた、請求項１〜３のいずれか１項に記載の遊技機不正開放防止装置。
【発明の詳細な説明】
【技術分野】
【０００１】
本発明は、遊技機の前面枠を不正に開放するのを防止する遊技機不正開放防止装置に関するものである。ここに遊技機には、パチンコ機やスロットル機等が含まれる。
【背景技術】
【０００２】
特許文献１には、遊技機の一例として、台枠の一側縁に前面枠を前方に開閉可能に枢着してなるパチンコ機において、チエン，ワイヤ等の索条が巻回されたリール巻取装置を台枠に設け、該リール巻取装置のリールの回転を制止する電動ロック機構を設けると共に、該索条の先端を前面枠の裏側に掛止することにより、該電動ロック機構の解除なしに前面枠を前方へ開放できないようにしたパチンコ機不正開放防止装置が開示されている。
【先行技術文献】
【特許文献】
【０００３】
【特許文献１】特許第３０３９７７２号公報
【発明の概要】
【発明が解決しようとする課題】
【０００４】
特許文献１の発明では、「リール巻取装置１１」の「ケース１４」中に突設された「支軸１５」に「リール１６」が支持され、「リール１６」と一体的に「爪車２０」が形成され、「電動ロック機構２３」の「爪部材２６」を「爪車２０」の外周に係合させることにより「リール１６」の回転を制止させ、「リール１６」から「索条１８」が引き出されないようにしている。
【０００５】
そして、特許文献１には、「索条１８」を固定する構成について、「リール巻取装置１１」の前記構成部材（支軸１５、リール１６、爪車２０）以外には一切開示されておらず示唆すらもされていない。
そのため、特許文献１の発明では、「索条１８」を確実に固定するために、「リール巻取装置１１」の構成部材（支軸１５、リール１６、爪車２０）の強度を高くする必要があり、部品コストが増大するという問題がある。
【０００６】
また、特許文献１の発明では、「リール１６」内に設けた「ゼンマイバネ１７」の付勢力を利用して、「前面枠２」を閉じたときに「索条１８」を「リール１６」内に巻き取ることにより、「索条１８」が常に弛まないようにしている。
そして、特許文献１には、「索条１８」が常に弛まないようにする構成について、「リール巻取装置１１」の前記構成部材（支軸１５、リール１６、ゼンマイバネ１７）以外には一切開示されておらず示唆すらもされていない。
そのため、特許文献１の発明では、「索条１８」が常に弛まないようにするための構成部材が複雑で部品点数が多くなり、部品コストが増大するという問題がある。
【０００７】
本発明は前記問題を解決するためになされたものであって、その目的は、遊技機の前面枠が不正開放されて不正改造されるのを確実に防止することが可能な遊技機不正開放防止装置を低コストに提供することにある。
【課題を解決するための手段】
【０００８】
本発明者らは前記課題を解決するために鋭意検討を重ねた結果、下記のように本発明の各局面に想到した。
【０００９】
＜第１の局面＞
第１の局面は、台枠に対して前面枠が開閉可能に取り付けられた遊技機において、
前記前面枠に先端部が取付固定された索条と、
前記台枠に取付固定された固定手段とを備え、
前記固定手段により前記索条を挟持して固定すると、前記台枠に対して前記前面枠を開放不能にする、遊技機不正開放防止装置である。
【００１０】
第１の局面によれば、固定手段により索条を挟持して固定すると、台枠に対して前面枠が開放不能になる。また、固定手段による索条の固定を解除すると、台枠に対して前面枠が開放可能になる。
すなわち、第１の局面では、固定手段による索条の固定の解除を行わなければ、台枠に対して前面枠が開放不能になるため、前面枠が不正開放されて不正改造されるのを防止できる。
【００１１】
そして、第１の局面では、固定手段が索条それ自体を挟持して固定するため、特許文献１の発明（「リール１６」の回転を制止させ、「リール１６」から「索条１８」が引き出されないようにする）に比べて、索条をより強固に固定することが可能になり、前面枠が不正開放されるのを確実に防止できる。
さらに、第１の局面では、特許文献１の発明の構成部材（支軸１５、リール１６、爪車２０）に比べて、固定手段に要求される強度が低いため、固定手段の部品コストを低減することが可能であり、遊技機不正開放防止装置を低コストに提供できる。
【００１２】
＜第２の局面＞
第２の局面は、第１の局面において、前記固定手段は、前記索条を挟持して固定する索条ロック用板と、前記索条ロック用板を駆動するプランジャーとを備える遊技機不正開放防止装置である。
第２の局面によれば、シンプルな構成で索条を強固に把持固定することが可能であるため、第１の局面の作用・効果が確実に得られる。
【００１３】
＜第３の局面＞
第３の局面は、第２の局面において、
前記索条ロック用板は、対向配置された第１板および第２板と、第１板と第２板を連結する同期用ピンとを備え、
前記プランジャーが前記第２板を直接駆動して回動させると、前記同期用ピンにより前記第２板の回動に同期して前記第１板が回動し、前記第１板と前記第２板との間で前記索条が挟持固定される遊技機不正開放防止装置である。
【００１４】
第３の局面によれば、第１板と第２板との間で索条を挟持固定するため、索条を強固に固定できる。
そして、第３の局面では、同期用ピンにより第２板の回動に同期して第１板が回動するため、１個のプランジャーで第１板と第２板の両方を駆動することが可能であり、第１板と第２板のそれぞれに専用のプランジャーを設けた場合に比べて、低コスト化を図ることができる。
【００１５】
＜第４の局面＞
第４の局面は、第１〜第３の局面において、前記索条が常に弛まないように付勢する弛み防止手段を備えた遊技機不正開放防止装置である。
第４の局面によれば、索条が弛んで遊技機内部の部材に引っ掛かるのを防止できる。
そして、第４の局面では、固定手段とは別個に弛み防止手段を設ければよく、特許文献１の発明の構成部材（支軸１５、リール１６、ゼンマイバネ１７）に比べて、弛み防止手段をシンプルな構成で具体化することが可能であるため、低コスト化を図ることができる。
【図面の簡単な説明】
【００１６】
【図１】本発明を具体化した一実施形態の遊技機不正開放防止装置３０が取り付けられた遊技機の前面枠開放時の斜視図。
【図２】遊技機不正開放防止装置３０の分解斜視図。
【図３】遊技機不正開放防止装置３０からリール蓋３２およびケース蓋３９を取り外した状態を示す平面図。
【図４】遊技機不正開放防止装置３０からリール蓋３２と押さえ板３７ｂとケース蓋３９とを取り外した状態を示す要部平面図であり、図３に示す部分Ａにおいて押さえ板３７ｂを取り外した状態を示す拡大図。
【発明を実施するための形態】
【００１７】
［遊技機の構成（図１参照）］
本実施形態の遊技機不正開放防止装置３０が取り付けられた遊技機は、台枠１、前面枠２、軸受金具３、鍵機構４、鍵孔５、鉤状片６、突片７、機構板８、打球発射用モータ９、基盤ケース１０、取付板１１を備えている。
【００１８】
矩形枠状の台枠１には、その一側縁の上下部に軸受金具３が取付固定されている。
矩形略平板状の前面枠２は、軸受金具３を介して台枠１の前面側に取り付けられ、軸受金具３を回動させることにより、台枠１に対して前面枠２を前方側に開閉可能になっている。
鍵機構４は前面枠２の一側縁に取付固定されており、前面枠２の前面側には鍵機構４の鍵孔５が露出され、前面枠２の裏面側には鍵機構４の２個の鉤状片６が上下方向に間隙を設けて突出している。
【００１９】
台枠１における軸受金具３が取付固定されている側とは反対側の他側縁には、２個の突片７が前面枠２の鉤状片６と対応する位置に取付固定されている。
前面枠２を台枠１側に閉じると、各鉤状片６はそれぞれ各突片７に係合し、前面枠２は台枠１に係止される。
前面枠２の裏面側には、パチンコ玉を誘導するための機構板８と、パチンコ玉を発射するための打球発射用モータ９と、パチンコ遊技を制御するためのＣＰＵやＲＯＭ（図示略）などが搭載された遊技基盤が収容されている基盤ケース１０とが取付固定されている。
【００２０】
台枠１における下側の突片７の近傍には取付板１１が取付固定され、取付板１１には遊技機不正開放防止装置３０が取付固定されている。
遊技機不正開放防止装置３０から導出された索条４４の先端部は、前面枠２における下側の鉤状片６に引っ掛けられて取付固定されている。
索条４４はスチールワイヤから成る。
【００２１】
［遊技機不正開放防止装置３０の構成（図２〜図４参照）］
遊技機不正開放防止装置３０は、雄ネジ３１、リール蓋３２、リール３３、ゼンマイバネ３４、プランジャー３５、プランジャーシャフト３６、押さえ板３７ａ，３７ｂ、軸ピン３８ａ，３８ｂ、ケース蓋３９、ケース４０（支軸４０ａ、取付部材４０ｂ）、同期用ピン４１、索条ロック用板４２ａ，４２ｂ、索条ガイド４３、索条４４、プランジャー連結ピン４５、圧縮弦巻バネ４６、係止突起４７ａ，４７ｂなどを備えている。
【００２２】
ケース４０の開放された上部にはケース蓋３９が被着され、ケース蓋３９は７個の雄ネジ３１によってケース４０の外周壁に取付固定される。
ケース４０内には、ケース蓋３９と雄ネジ３１を除く前記構成部材（３２〜３８，４１〜４７）が収容されている。
ケース４０の内底壁面からは支軸４０ａが突設されており、支軸４０ａにはリール３３の中心孔が挿通され、リール３３はケース４０に対して支軸４０ａを中心に回転自在に軸支されている。
リール３３内にはゼンマイバネ３４が収容され、ゼンマイバネ３４の一端部は支軸４０ａに取付固定され、ゼンマイバネ３４の他端部はリール３３の内周壁に取付固定されている。
【００２３】
同一寸法形状の索条ロック用板４２ａ，４２ｂは、同一寸法形状の押さえ板３７ａ，３７ｂに挟設され、同一平面状に配置されている。
索条ロック用板４２ａと押さえ板３７ａ，３７ｂには軸ピン３８ａが挿通され、索条ロック用板４２ａは押さえ板３７ａ，３７ｂに対して軸ピン３８ａを中心に回動可能に軸支されている。
索条ロック用板４２ｂと押さえ板３７ａ，３７ｂには軸ピン３８ｂが挿通され、索条ロック用板４２ｂは押さえ板３７ａ，３７ｂに対して軸ピン３８ｂを中心に回動可能に軸支されている。
索条ロック用板４２ａにおいて、索条ロック用板４２ｂと対向する端面には、鋸歯状の係止突起４７ａが形成されている。
索条ロック用板４２ｂにおいて、索条ロック用板４２ａと対向する端面には、鋸歯状の係止突起４７ｂが形成されている。
各索条ロック用板４２ａ，４２ｂは同期用ピン４１を介して連結されている。
一体化された索条ロック用板４２ａ，４２ｂおよび押さえ板３７ａ，３７ｂは、ケース４０内において索条ガイド４３の近傍に移動不能に収容されている。
【００２４】
ケース４０の内底壁面からは取付部材４０ｂが突設されている。
圧縮弦巻バネ４６の一端部は取付部材４０ｂの取付穴に嵌合固定され、圧縮弦巻バネ４６の他端部は索条ロック用板４２ｂの突起に嵌合固定されている。
ケース４０内にはプランジャー（ソレノイド）３５が嵌合固定され、プランジャー３５からはプランジャーシャフト３６が突出している。
プランジャーシャフト３６の先端部と索条ロック用板４２ｂとは、プランジャー連結ピン４５を介して連結されている。
【００２５】
ケース４０の外周壁には索条ガイド４３が嵌合固定されている。
索条ガイド４３には、索条４４の外径よりも僅かに大きな挿通孔が貫通形成されている。
リール３３の外周壁には索条４４が巻回され、索条４４の一端部はリール３３の外周壁に取付固定され、索条４４の他端部は、各索条ロック用板４２ａ，４２ｂ間を通って索条ガイド４３の挿通孔に挿入され、ケース４０の外方に導出されている。
前記のように、ケース４０の外方に導出された索条４４の先端部は、前面枠２の鉤状片６に取付固定されている（図１参照）。
リール３３にはリール蓋３２が被着されて取付固定されている。
【００２６】
［遊技機不正開放防止装置３０の動作（図１〜図４参照）］
＜遊技機の稼働時＞
遊技機が設置されたパチンコ遊技場の営業時間中における遊技機の稼働時には、プランジャー３５への通電を停止させておく。
プランジャー３５への通電が停止されると、プランジャーシャフト３６はプランジャー３５に対して伸張退縮自在の状態になり、プランジャー連結ピン４５を介してプランジャーシャフト３６に連結されている索条ロック用板４２ｂには、プランジャーシャフト３６から付勢力が印加されない。
【００２７】
索条ロック用板４２ｂには、索条ロック用板４２ｂとケース４０の取付部材４０ｂとを繋ぐ圧縮弦巻バネ４６の圧縮力が印加されている。
そのため、プランジャーシャフト３６から付勢力が印加されない状態では、圧縮弦巻バネ４６の圧縮力により、索条ロック用板４２ｂは軸ピン３８ｂを中心として図４に示す時計回方向（矢印α方向）に僅かに回動する。
そして、索条ロック用板４２ａは同期用ピン４１を介して索条ロック用板４２ｂに連結されているため、索条ロック用板４２ｂの矢印α方向への回動に同期し、索条ロック用板４２ａは図４に示す反時計回方向（矢印β方向）に僅かに回動する。
【００２８】
すると、各索条ロック用板４２ａ，４２ｂの間隙が広くなり、各索条ロック用板４２ａ，４２ｂ間を通っている索条４４は、各索条ロック用板４２ａ，４２ｂと非接触状態になるため移動自在となる。すなわち、各索条ロック用板４２ａ，４２ｂによる索条４４の挟持固定が解除される。
索条４４の先端部は前面枠２の鉤状片６に取付固定されているため、遊技機の前面枠２を前方に開けると、リール３３に巻回されている索条４４はリール３３から自在に引き出され、前面枠２を前方に開けるのを索条４４が妨げることはない。
【００２９】
その結果、遊技機不正開放防止装置３０を設けても、遊技機の稼働時には、鍵孔５に合鍵を差し込んで鍵機構４を解錠すれば、前面枠２を自由に開放することが可能であり、前面枠２の裏面側の点検等を必要に応じ従来どおり支障なく行うことができる。
【００３０】
ここで、リール３３内のゼンマイバネ３４の弾性力により、索条４４はリール３３に巻き取られる方向に常に付勢されている。
そのため、前面枠２を台枠１側に閉じると、索条４４はリール３３内に自動的に巻き取られ、索条４４は常に弛まないようになっている。
【００３１】
また、索条４４は索条ガイド４３の挿通孔に挿通され、その挿通孔は索条４４の外径よりも僅かに大きい。
そのため、リール３３と索条ガイド４３との間で、索条４４を真っ直ぐに張り渡すことが可能になり、索条４４の移動に伴って索条４４にブレや位置ズレなどが起こるのを確実に防止できる。
【００３２】
＜遊技機の非稼働時＞
パチンコ遊技場の営業時間外などにおける遊技機の非稼働時には、プランジャー３５へ通電させておく。
プランジャー３５が通電されると、プランジャーシャフト３６はプランジャー３５に対して伸張し、プランジャー連結ピン４５を介してプランジャーシャフト３６に連結されている索条ロック用板４２ｂには、プランジャーシャフト３６から付勢力が印加される。
【００３３】
そのため、圧縮弦巻バネ４６の圧縮力に抗して、索条ロック用板４２ｂは軸ピン３８ｂを中心として図４に示す反時計回方向（矢印β方向）に僅かに回動する。
そして、索条ロック用板４２ａは同期用ピン４１を介して索条ロック用板４２ｂに連結されているため、索条ロック用板４２ｂの矢印β方向への回動に同期し、索条ロック用板４２ａは図４に示す時計回方向（矢印α方向）に僅かに回動する。
【００３４】
すると、各索条ロック用板４２ａ，４２ｂの間隙が狭くなり、各索条ロック用板４２ａ，４２ｂ間を通っている索条４４は、各索条ロック用板４２ａ，４２ｂに挟持固定されて移動不能になる。
ここで、各索条ロック用板４２ａ，４２ｂにはそれぞれ鋸歯状の係止突起４７ａ，４７ｂが形成されているため、索条４４は係止突起４７ａ，４７ｂに係止されて確実に固定される。
索条４４の先端部は前面枠２の鉤状片６に取付固定されているため、遊技機の前面枠２を前方に開けようとしても、索条４４が突張って開けることはできない。
【００３５】
その結果、遊技機不正開放防止装置３０を設けることにより、遊技機の非稼働時には、鍵孔５に合鍵を差し込んで鍵機構４を解錠しても、前面枠２を開放できなくなるため、不審者によって基盤ケース１０内のＲＯＭが不正な物に交換されてしまうようなおそれを確実に防止できる。
【００３６】
［本実施形態の作用・効果］
本実施形態の遊技機不正開放防止装置３０によれば、以下の作用・効果を得ることができる。
【００３７】
［１］本実施形態は、遊技機の台枠１に取付固定され、索条４４を挟持して固定する固定手段を備える。
その固定手段は、プランジャー３５、プランジャーシャフト３６、押さえ板３７ａ，３７ｂ、軸ピン３８ａ，３８ｂ、ケース蓋３９、ケース４０、同期用ピン４１、索条ロック用板４２ａ，４２ｂ、プランジャー連結ピン４５、圧縮弦巻バネ４６、係止突起４７ａ，４７ｂを有する。
【００３８】
そして、固定手段により索条４４を挟持して固定すると、台枠１に対して前面枠２が開放不能になる。また、固定手段による索条４４の固定を解除すると、台枠１に対して前面枠２が開放可能になる。
すなわち、本実施形態では、固定手段による索条４４の固定の解除を行わなければ、台枠１に対して前面枠２が開放不能になるため、前面枠２が不正開放されて不正改造されるのを防止できる。
【００３９】
このように、本実施形態では、固定手段が索条それ自体を挟持して固定するため、特許文献１の発明（「リール１６」の回転を制止させ、「リール１６」から「索条１８」が引き出されないようにする）に比べて、索条４４をより強固に固定することが可能になり、前面枠２が不正開放されるのを確実に防止できる。
さらに、本実施形態では、特許文献１の発明の構成部材（支軸１５、リール１６、爪車２０）に比べて、固定手段に要求される強度が低いため、固定手段の部品コストを低減することが可能であり、遊技機不正開放防止装置３０を低コストに提供できる。
【００４０】
［２］固定手段は、索条ロック用板４２ａ，４２ｂおよびプランジャー３５を備えるため、シンプルな構成で索条４４を強固に把持固定することが可能であり、前記［１］の作用・効果が確実に得られる。
【００４１】
［３］固定手段は、対向配置された索条ロック用板４２ａ（第１板）および索条ロック用板４２ｂ（第２板）と、索条ロック用板４２ａ，４２ｂを連結する同期用ピン４１とを備える。
そして、プランジャー３５が索条ロック用板４２ｂを直接駆動して回動させると、同期用ピン４１により索条ロック用板４２ｂの回動に同期して索条ロック用板４２ａが回動し、索条ロック用板４２ａ，４２ｂの間で索条４４が挟持固定される。
【００４２】
すなわち、２個の索条ロック用板４２ａ，４２ｂによって索条４４を挟持するため、索条４４を強固に固定できる。
そして、同期用ピン４１により索条ロック用板４２ｂの回動に同期して索条ロック用板４２ａが回動するため、１個のプランジャー３５で２個の索条ロック用板４２ａ，４２ｂの両方を駆動することが可能であり、索条ロック用板４２ａ，４２ｂのそれぞれに専用のプランジャーを設けた場合に比べて、低コスト化を図ることができる。
【００４３】
［４］本実施形態は、索条４４が常に弛まないように付勢する弛み防止手段を備える。
その弛み防止手段は、ケース４０の支軸４０ａ、リール３３、ゼンマイバネ３４を有する。
弛み防止手段により、索条４４が弛んで遊技機内部の部材に引っ掛かるのを防止できる。
【００４４】
＜別の実施形態＞
本発明は前記実施形態に限定されるものではなく、以下のように具体化してもよく、その場合でも、前記実施形態と同等もしくはそれ以上の作用・効果を得ることができる。
【００４５】
［ア］本発明では、固定手段とは別個に弛み防止手段を設ければよく、特許文献１の発明の構成部材（支軸１５、リール１６、ゼンマイバネ１７）に比べて、弛み防止手段をシンプルな構成で具体化することが可能であるため、低コスト化を図ることができる。
【００４６】
例えば、弛み防止手段として、索条４４の後端部に取付固定した錘と、ケース４０に取り付けた滑車とを備え、滑車に索条４４を掛け、錘の重力により索条４４が常に弛まないように付勢させるようにしてもよい。
このようにすれば、ケース４０の支軸４０ａ、リール３３、ゼンマイバネ３４を省くことが可能になり、前記実施形態より更に低コスト化を図ることができる。
【００４７】
［イ］圧縮弦巻バネ４６は、索条ロック用板４２ｂをケース４０の取付部材４０ｂ側に引き寄せる付勢力を印加する部材であれば、どのような部材（例えば、折り曲げバネ等の各種バネ材、ゴム紐など）に置き換えてもよい。
【００４８】
［ウ］前記実施形態では索条４４を前面枠２の鉤状片６に掛止したが、索条４４は前面枠２の裏面であれば他の部分に掛止してもよい。
【００４９】
［エ］索条４４はスチールワイヤに限らず、チエン等の強度のある可撓性線状物であればどのような物を用いてもよい。
【００５０】
本発明は、前記各局面および前記実施形態の説明に何ら限定されるものではない。特許請求の範囲の記載を逸脱せず、当業者が容易に想到できる範囲で種々の変形態様も本発明に含まれる。本明細書の中で明示した論文、公開特許公報、特許公報などの内容は、その全ての内容を援用によって引用することとする。
【符号の説明】
【００５１】
１…台枠
２…前面枠
６…鉤状片
１０…基盤ケース
１１…取付板
３０…遊技機不正開放防止装置３０
３３…リール
３４…ゼンマイバネ
３５…プランジャー（固定手段）
３６…プランジャーシャフト（固定手段）
３７ａ，３７ｂ…押さえ板（固定手段）
３８ａ，３８ｂ…軸ピン（固定手段）
３９…ケース蓋（固定手段）
４０…ケース（固定手段）
４１…同期用ピン（固定手段）
４２ａ…索条ロック用板（固定手段、第１板）
４２ｂ…索条ロック用板（固定手段、第２板）
４３…索条ガイド
４４…索条
４５…プランジャー連結ピン（固定手段）
４６…圧縮弦巻バネ（固定手段）
４７ａ，４７ｂ…係止突起（固定手段）
【図１】
2014039651.tif 000003
【図２】
2014039651.tif 000004
【図３】
2014039651.tif 000005
【図４】
2014039651.tif 000006